(57)【要約】【課題】  極めて効果的に商品の販売を促進することができると共に、広告具全体を作り替えることなく商品広告に関するメッセージを変更することが可能な広告具を提供する。【解決手段】  本発明に係る広告具１００は、立体的形状を有するフィギュア１と、前記フィギュア１に着脱自在に取り付けられ、商品広告に関するメッセージが表示されたメッセージボード２とを備えることを特徴とする。【選択図】  図１
2006119253.tif 000002
【特許請求の範囲】
【請求項１】
立体的形状を有するフィギュアと、
前記フィギュアに着脱自在に取り付けられ、商品広告に関するメッセージが表示されたメッセージボードとを備えることを特徴とする広告具。
【請求項２】
前記フィギュア又は前記メッセージボードに設けられた人体検知用センサを備え、
前記フィギュア又は前記メッセージボードは、メッセージ出力手段を具備し、
前記メッセージ出力手段は、前記人体検知用センサによって人体が検知されることにより、商品広告に関するメッセージを出力するように構成されていることを特徴とする請求項１に記載の広告具。
【請求項３】
前記フィギュア又は前記メッセージボードに設けられた人体検知用センサを備え、
前記フィギュアは、メッセージ出力手段を具備し、
前記メッセージ出力手段は、前記人体検知用センサによって人体が検知されることにより、前記メッセージボードに表示されたメッセージに関連するメッセージを出力するように構成されていることを特徴とする請求項１に記載の広告具。
【請求項４】
前記フィギュア又は前記メッセージボードに設けられた人体検知用センサを備え、
前記メッセージボードは、メッセージ識別情報を記憶する記憶手段を具備し、
前記フィギュアは、前記メッセーボードが具備する記憶手段に記憶されたメッセージ識別情報を読み取る読取手段と、メッセージ出力手段とを具備し、
前記メッセージ出力手段は、前記人体検知用センサによって人体が検知されることにより、前記読取手段で読み取ったメッセージ識別情報に対応するメッセージを出力するように構成されていることを特徴とする請求項１に記載の広告具。
【請求項５】
前記メッセージ出力手段は、前記メッセージ識別情報に応じた複数種の音声を出力可能な音声出力手段であり、
前記音声出力手段は、前記人体検知用センサによって人体が検知されることにより、前記読取手段で読み取ったメッセージ識別情報に対応する音声を出力するように構成されていることを特徴とする請求項４に記載の広告具。
【請求項６】
前記メッセージ出力手段は、前記メッセージ識別情報に応じた複数種の動作を実行するための駆動手段であり、
前記駆動手段は、前記人体検知用センサによって人体が検知されることにより、前記読取手段で読み取ったメッセージ識別情報に対応する動作を実行するように構成されていることを特徴とする請求項４に記載の広告具。
【請求項７】
それぞれ立体的形状を有し、互いに電気的に接続された２つのフィギュアと、
前記２つのフィギュアのそれぞれに着脱自在に取り付けられ、商品広告に関するメッセージが表示されたメッセージボードと、
前記２つのフィギュアの内の一方のフィギュアに設けられるか又は当該一方のフィギュアに取り付けられたメッセージボードに設けられた人体検知用センサとを備え、
前記メッセージボードは、メッセージ識別情報を記憶する記憶手段を具備し、
前記２つのフィギュアのそれぞれは、当該各フィギュアに取り付けられた前記メッセーボードが具備する記憶手段に記憶されたメッセージ識別情報を読み取る読取手段と、前記メッセージ識別情報に応じた複数種の音声を出力可能な音声出力手段とを具備し、
前記一方のフィギュアは、前記人体検知用センサによって人体が検知されることにより、前記読取手段で読み取ったメッセージ識別情報に対応する音声を前記音声出力手段によって出力すると共に、音声出力終了信号を前記２つのフィギュアの内の他方のフィギュアに送信し、
前記他方のフィギュアは、前記音声出力終了信号を受信することにより、前記読取手段で読み取ったメッセージ識別情報に対応する音声を前記音声出力手段によって出力するように構成されていることを特徴とする広告具。
【請求項８】
立体的形状を有し、メッセージ識別情報を読み取る読取手段を具備するフィギュアと、
前記フィギュアに着脱自在に取り付けられ、商品広告に関するメッセージを表示すると共に、メッセージ識別情報を記憶する記憶手段を具備するメッセージボードと、
前記フィギュア又は前記メッセージボードに設けられ、顧客が携帯するモバイル端末に設けられたＩＣタグから送信される顧客識別情報を読み取るためのＩＣタグリーダと、
メッセージ識別情報に関連付けられたメッセージ情報と、顧客識別情報に関連付けられた電子メールアドレスとが予め記憶された電子メール配信用サーバとを備え、
前記電子メール配信用サーバは、前記読取手段で読み取った前記記憶手段に記憶されたメッセージ識別情報と、前記ＩＣタグリーダで読み取った前記ＩＣタグから送信された顧客識別情報とを受信し、当該受信したメッセージ識別情報に対応するメッセージ情報を当該受信した顧客識別情報に対応する電子メールアドレス宛に送信するように構成されていることを特徴とする広告システム。
【発明の詳細な説明】
【技術分野】
【０００１】
本発明は、広告具及び広告システムに関する。
【背景技術】
【０００２】
近年、店頭販売における商品の販売促進を図るツールとして、以下に説明するような理由により、いわゆるＰＯＰ（Point of Purchase：購買時点販売促進広告具）と称される広告具の重要性が高まってきている。
【０００３】
近年の小売店舗には、店舗経営の観点（ローコストオペレーションの観点）から、そして消費者のセルフ選択志向の高まりを受け、顧客自らが商品を選択するいわゆるセルフ型店舗が増加している。
【０００４】
このようなセルフ型店舗における情報伝達手段として、従来のような店員による説明や推奨といったものに代わって、消費者に対してより的確且つ明確に、そして端的に情報を伝達できるものが求められている。こうした情報伝達手段の主たるものがＰＯＰである。
【０００５】
一方、各店舗において販売する商品の同質化が進んでいることに鑑みれば、小売店舗が他店舗に対して優位性を図る手段として、より多くの品揃えを図ることや、低価格を打ち出すことなどが考えられる。
【０００６】
しかしながら、小売店舗がより多くの品揃えを図ることは、当然、商品の仕入れを増加させる必要が生じることを意味する他、店舗面積の拡大が必要になり、さらには在庫リスクも大きくなる。また、低価格を打ち出した場合には、過当な価格競争に陥る危険性も高く、最終的には体力勝負の様相を呈し始める。すなわち、品揃えや価格の競争では、規模の経済性によって、大きな資本を有する店舗に競争優位性がある。従って、店舗がこのような資本の大小に左右される競争から脱することを考えれば、伝達する情報による差別化がますます重要になってきている。
【０００７】
前述のように、セルフ型店舗においては、主たる情報伝達手段がＰＯＰであることから、伝達情報の差別化を図る上でＰＯＰの重要性がますます高まっている。各店舗は、ＰＯＰを用いてより効率的に差別化された情報を消費者に発信しなければならない。
【発明の開示】
【発明が解決しようとする課題】
【０００８】
以上に説明したように、近年重要度を増しているＰＯＰであるが、従来のＰＯＰの殆どは、広告具としての機能を発揮する部分が平面的であり、且つ、ＰＯＰ全体として一体となっていることに起因して、以下のような問題点を有している。
【０００９】
すなわち、平面的であるため、顧客の注意を引く効果（アテンション効果）や、顧客に商品選択を楽しませる効果（エンターテイメント効果）が低い他、商品の特徴が伝わり難く、購買動機を生じさせることが困難であるという問題がある。
【００１０】
また、ＰＯＰを作製するに際し、コストを低く抑えるには大量生産する必要があるが、ＰＯＰ全体として一体となっているため、全店舗共通のＰＯＰとせざるを得ず、各小売店店舗毎に差別化した情報を発信したいというニーズに応えることができないという問題がある。逆に、このような各小売店舗のニーズに応えようとすれば、各店舗毎に専用のＰＯＰを作製せざるを得ず、コストが嵩むという問題が生じる。
【００１１】
さらには、同一店舗においても、例えば季節毎に商品広告に関する顧客へのメッセージは変化し得るが、これに対応するには、その都度（季節毎に）ＰＯＰ全体を作り替えなければならず、コストが嵩むという問題がある。
【００１２】
本発明は、上記のような従来技術の問題点を解決するべくなされたものであり、極めて効果的に商品の販売を促進することができると共に、広告具全体を作り替えることなく商品広告に関するメッセージを変更することが可能な広告具及び広告システムを提供することを課題とする。
【課題を解決するための手段】
【００１３】
前記課題を解決するべく、本発明は、立体的形状を有するフィギュアと、前記フィギュアに着脱自在に取り付けられ、商品広告に関するメッセージが表示されたメッセージボードとを備えることを特徴とする広告具を提供するものである。
【００１４】
斯かる発明によれば、広告具の主要部として立体的形状を有するフィギュアを用いることにより、顧客の注意を引く効果（アテンション効果）や顧客に商品選択を楽しませる効果（エンターテイメント効果）を高めることができる。また、フィギュアを用いることで、その表情や仕草により、例えば「やさしさ」や「心地好さ」といったその商品のコンセプトを表現可能であったり、商品のターゲットを明確化することも可能になり、これにより商品の特性を端的に伝達することができる。さらには、フィギュアの店頭での露出により、他メディアとの相乗効果を期待することも可能である。このように、本発明に係る広告具は、立体的形状を有するフィギュアを備えることにより、極めて効果的に商品の販売を促進することが可能である。
【００１５】
なお、本発明における「フィギュア」とは、物の具体的な形をあしらった立体的形状物を意味し、人形（特定の人物を表現するものではない一般的な人形の他、アイドル歌手・タレントや人気俳優・歌手等の芸能人、スポーツ選手、その他有名人を模擬した人形を含む）やキャラクター（アンパンマン、セーラームーン、機関車トーマス等）を模擬した物の他、動物（動物そのものを模擬した物の他、動物を擬人化したものを含む）、昆虫（昆虫そのものを模擬した物の他、昆虫を擬人化したものを含む）、植物、その他の有体物が全て対象となる。
【００１６】
また、本発明に係る広告具は、フィギュアに着脱自在に取り付けられ、商品広告に関するメッセージが表示されたメッセージボードを備える構成であるため、当該メッセージボードを各店舗毎や季節毎に取り替えることにより、広告具全体を作り替えることなく商品広告に関する種々の価値あるメッセージを容易に変更できるという利点を有する。
【００１７】
好ましくは、前記広告具は、前記フィギュア又は前記メッセージボードに設けられた人体検知用センサを備え、前記フィギュア又は前記メッセージボードは、メッセージ出力手段を具備し、前記メッセージ出力手段は、前記人体検知用センサによって人体が検知されることにより、商品広告に関するメッセージを出力するように構成される。
【００１８】
斯かる構成によれば、単にメッセージボードに商品広告に関するメッセージを表示するのみならず、人体が検知される（すなわち、顧客がフィギュア又はメッセージボードに近づいた或いは触れたことが検知される）ことにより、商品広告に関するメッセージが出力（例えば、音声によるメッセージの出力、フィギュアの動作によるメッセージ表現、ディスプレイへのメッセージの表示、メッセージの電子メールでの配信等が考えられる）されるため、顧客はあたかもフィギュア自体がメッセージを発しているように感じることができ、アテンション効果やエンターテイメント効果をより一層高めることができるという利点を有する。
【００１９】
具体的には、例えば、前記メッセージ出力手段は、音声を出力する音声出力手段であり、前記音声出力手段は、前記人体検知用センサによって人体が検知されることにより、商品広告に関する音声を出力するように構成される。
【００２０】
斯かる構成によれば、顧客はあたかもフィギュア自体が音声によるメッセージを発しているように感じることができるため、アテンション効果やエンターテイメント効果をより一層高めることができるという利点を有する。
【００２１】
また、例えば、前記メッセージ出力手段は、メッセージを表示するメッセージ表示手段であり、前記メッセージ表示手段は、前記人体検知用センサによって人体が検知されることによって初めて、商品広告に関するメッセージを表示するように構成される。
【００２２】
斯かる構成によれば、常にメッセージボードに商品広告に関するメッセージを表示する（例えば、手書き文字や印刷文字をメッセーボードに記載する等）場合と異なり、人体が検知される（すなわち、顧客がフィギュアに近づいた或いは触れたことが検知される）ことによって初めてメッセージが表示されるため、アテンション効果やエンターテイメント効果をより一層高めることができるという利点を有する。なお、人体検知用センサによって人体が検知されることによって初めて、メッセージボードがメッセージを表示するように構成するには、例えば、メッセージボードを薄型の液晶ディスプレイで構成し、人体検知センサによる人体検知信号をトリガーとして、前記液晶ディスプレイの電源をオンすることによって、所定のメッセージが表示されるように構成することが考えられる。
【００２３】
さらに、前記メッセージ出力手段を、フィギュアが所定の動作を実行するための駆動手段とし、前記駆動手段が、前記人体検知用センサによって人体が検知されることにより、商品広告に関する動作を実行するように構成してもよい。
【００２４】
斯かる構成によれば、フィギュアが商品広告に関する動作を実行することにより、顧客はあたかもフィギュア自体がメッセージを発しているように感じ、またその動作によってメッセージに説得力とリアル感を持たせることができ、アテンション効果やエンターテイメント効果をより一層高めることができるという利点を有する。
【００２５】
或いは、好ましい態様として、前記広告具は、前記フィギュア又は前記メッセージボードに設けられた人体検知用センサを備え、前記フィギュアは、メッセージ出力手段を具備し、前記メッセージ出力手段は、前記人体検知用センサによって人体が検知されることにより、前記メッセージボードに表示されたメッセージに関連するメッセージを出力するように構成することも可能である。
【００２６】
斯かる構成によっても、単にメッセージボードに商品広告に関するメッセージを表示するのみならず、人体が検知される（すなわち、顧客がフィギュア又はメッセージボードに近づいた或いは触れたことが検知される）ことにより、メッセージボードに表示されたメッセージに関連するメッセージが出力されるため、顧客はあたかもフィギュア自体がメッセージを発しているように感じることができ、アテンション効果やエンターテイメント効果をより一層高めることができるという利点を有する。
【００２７】
また、好ましい態様として、前記広告具は、前記フィギュア又は前記メッセージボードに設けられた人体検知用センサを備え、前記メッセージボードは、メッセージ識別情報を記憶する記憶手段を具備し、前記フィギュアは、前記メッセーボードが具備する記憶手段に記憶されたメッセージ識別情報を読み取る読取手段と、メッセージ出力手段とを具備し、前記メッセージ出力手段は、前記人体検知用センサによって人体が検知されることにより、前記読取手段で読み取ったメッセージ識別情報に対応するメッセージを出力するように構成される。
【００２８】
斯かる構成によれば、人体が検知される（すなわち、顧客がフィギュア又はメッセージボードに近づいた或いは触れたことが検知される）ことにより、取り付けたメッセージボードのメッセージ識別情報に対応するメッセージが出力されるため、顧客はあたかもフィギュア自体が能動的にメッセージを発しているように感じることができ、アテンション効果やエンターテイメント効果をより一層高めることができるという利点を有する。
【００２９】
また、フィギュアが具備する読取手段によって、メッセージボードのメッセージ識別情報を読み取り、当該読み取ったメッセージ識別情報に対応するメッセージを出力する構成であるため、異なるメッセージボード（記憶されたメッセージ識別情報が異なるメッセージボード）を同一のフィギュアに取り付けることにより、同一のフィギュアであっても種々の異なるメッセージを出力させることが可能である。また、同一のメッセージボード（記憶されたメッセージ識別情報が同一のメッセージボード）を異なるフィギュアに取り付けることにより、例えばメッセージの内容自体は同一であっても、取り付けた各フィギュアに応じて異なるメッセージを出力させる構成を採用することもできる。このように、本構成によれば、アテンション効果やエンターテイメント効果を極めて高めることが可能である。
【００３０】
具体的には、例えば、前記メッセージ出力手段は、前記メッセージ識別情報に応じた複数種の音声を出力可能な音声出力手段であり、前記音声出力手段は、前記人体検知用センサによって人体が検知されることにより、前記読取手段で読み取ったメッセージ識別情報に対応する音声を出力するように構成される。
【００３１】
斯かる構成によれば、人体が検知される（すなわち、顧客がフィギュア又はメッセージボードに近づいた或いは触れたことが検知される）ことにより、取り付けたメッセージボードのメッセージ識別情報に対応する（例えば、メッセージボードに表示されたメッセージに関連する）音声が出力されるため、顧客はあたかもフィギュア自体が能動的にメッセージを発しているように感じることができ、アテンション効果やエンターテイメント効果をより一層高めることができるという利点を有する。
【００３２】
また、フィギュア自体が音声を出力する（フィギュアが具備する音声出力手段によって音声が出力される）構成であるため、異なるメッセージボードを同一のフィギュアに取り付けることにより、当該フィギュアに応じた一定の音色で種々のメッセージを伝達することが可能である。また、同一のメッセージボードを異なるフィギュアに取り付けることにより、発声するメッセージの内容自体は同一であっても、取り付けた各フィギュアに応じて音声の音色を変更する構成を採用することができる。このように、本構成によれば、アテンション効果やエンターテイメント効果を極めて高めることが可能である。
【００３３】
前述した具体的な構成は、メッセージ出力手段として音声を出力する音声出力手段を用いた構成であるが、これに替えて、フィギュアがメッセージボードのメッセージ識別情報に対応する動作を実行するように、メッセージ出力手段として駆動手段を用いることも可能である。すなわち、例えば、前記メッセージ出力手段は、前記メッセージ識別情報に応じた複数種の動作を実行するための駆動手段であり、前記駆動手段は、前記人体検知用センサによって人体が検知されることにより、前記読取手段で読み取ったメッセージ識別情報に対応する動作を実行するように構成される。
【００３４】
斯かる構成によれば、人体が検知される（すなわち、顧客がフィギュア又はメッセージボードに近づいた或いは触れたことが検知される）ことにより、取り付けたメッセージボードのメッセージ識別情報に対応する（例えば、メッセージボードに表示されたメッセージに関連する）動作が実行されるため、顧客はあたかもフィギュア自体がメッセージを発しているように感じ、またその動作によってメッセージに説得力とリアル感を持たせることができ、アテンション効果やエンターテイメント効果をより一層高めることができるという利点を有する。
【００３５】
また、前記課題を解決するべく、本発明は、それぞれ立体的形状を有し、互いに電気的に接続された２つのフィギュアと、前記２つのフィギュアのそれぞれに着脱自在に取り付けられ、商品広告に関するメッセージが表示されたメッセージボードと、前記２つのフィギュアの内の一方のフィギュアに設けられるか又は当該一方のフィギュアに取り付けられたメッセージボードに設けられた人体検知用センサとを備え、前記メッセージボードは、メッセージ識別情報を記憶する記憶手段を具備し、前記２つのフィギュアのそれぞれは、当該各フィギュアに取り付けられた前記メッセーボードが具備する記憶手段に記憶されたメッセージ識別情報を読み取る読取手段と、前記メッセージ識別情報に応じた複数種の音声を出力可能な音声出力手段とを具備し、前記一方のフィギュアは、前記人体検知用センサによって人体が検知されることにより、前記読取手段で読み取ったメッセージ識別情報に対応する音声を前記音声出力手段によって出力すると共に、音声出力終了信号を前記２つのフィギュアの内の他方のフィギュアに送信し、前記他方のフィギュアは、前記音声出力終了信号を受信することにより、前記読取手段で読み取ったメッセージ識別情報に対応する音声を前記音声出力手段によって出力するように構成されていることを特徴とする広告具としても提供される。
【００３６】
斯かる発明によれば、立体的形状を有するフィギュアを備えることにより、極めて効果的に商品の販売を促進することが可能である。また、フィギュアに着脱自在に取り付けられ、商品広告に関するメッセージが表示されたメッセージボードを備える構成であるため、当該メッセージボードを各店舗毎や季節毎に取り替えることにより、広告具全体を作り替えることなく商品広告に関する種々の価値あるメッセージを容易に変更できるという利点を有する。さらには、単にメッセージボードに商品広告に関するメッセージを表示するのみならず、人体が検知される（すなわち、顧客がメッセージボードに近づいた或いは触れたことが検知される）ことにより、メッセージボードに表示されたメッセージに関連する音声が出力されるため、顧客はあたかもフィギュア自体が能動的にメッセージを発しているように感じることができる。特に、本発明に係る広告具は、一方のフィギュアでの音声出力が終了した後、他方のフィギュアにおいて音声が出力される構成であるため、各フィギュアが出力する音声に関連性を持たせることにより、両フィギュアがあたかも会話をしているかのように構成することが可能であり、これによりアテンション効果やエンターテイメント効果を極めて高めることができるという利点を有する。
【００３７】
さらに、前記課題を解決するべく、本発明は、立体的形状を有し、メッセージ識別情報を読み取る読取手段を具備するフィギュアと、前記フィギュアに着脱自在に取り付けられ、商品広告に関するメッセージを表示すると共に、メッセージ識別情報を記憶する記憶手段を具備するメッセージボードと、前記フィギュア又は前記メッセージボードに設けられ、顧客が携帯するモバイル端末に設けられたＩＣタグから送信される顧客識別情報を読み取るためのＩＣタグリーダと、メッセージ識別情報に関連付けられたメッセージ情報と、顧客識別情報に関連付けられた電子メールアドレスとが予め記憶された電子メール配信用サーバとを備え、前記電子メール配信用サーバは、前記読取手段で読み取った前記記憶手段に記憶されたメッセージ識別情報と、前記ＩＣタグリーダで読み取った前記ＩＣタグから送信された顧客識別情報とを受信し、当該受信したメッセージ識別情報に対応するメッセージ情報を当該受信した顧客識別情報に対応する電子メールアドレス宛に送信するように構成されていることを特徴とする広告システムとしても提供される。
【００３８】
斯かる発明によれば、立体的形状を有するフィギュアを備えることにより、極めて効果的に商品の販売を促進することが可能である。また、フィギュアに着脱自在に取り付けられ、商品広告に関するメッセージが表示されたメッセージボードを備える構成であるため、当該メッセージボードを各店舗毎や季節毎に取り替えることにより、広告具全体を作り替えることなく商品広告に関する種々の価値あるメッセージを容易に変更できるという利点を有する。さらには、単にメッセージボードに商品広告に関するメッセージを表示するのみならず、顧客が携帯するモバイル端末（例えば、携帯電話）に設けられたＩＣタグ（例えば、携帯電話のストラップに取り付けられたＩＣタグ）から送信された顧客識別情報を読み取り、当該顧客識別情報に関連付けて予め記憶された電子メールアドレス宛に、取り付けたメッセージボードのメッセージ識別情報に対応する（メッセージボードに表示されたメッセージに関連する）メッセージ情報を送信する構成であるため、顧客は前記モバイル端末を使って自分の電子メールアドレスに送信されたメッセージ情報を確認することが可能であり、これによりアテンション効果やエンターテイメント効果を極めて高めることができるという利点を有する。
【発明の効果】
【００３９】
本発明によれば、極めて効果的に商品の販売を促進することができると共に、広告具全体を作り替えることなく商品広告に関するメッセージを変更することが可能である。
【発明を実施するための最良の形態】
【００４０】
以下、添付図面を参照しつつ、本発明の実施形態について説明する。
【００４１】
＜第１実施形態＞
図１は、本発明の第１実施形態に係る広告具の概略構成を示す図であり、（ａ）は正面図を、（ｂ）は側面図を示す。図１に示すように、本実施形態に係る広告具１００は、立体的形状を有するフィギュア１と、フィギュア１に着脱自在に取り付けられ、商品広告に関するメッセージが表示されたメッセージボード（図１ではメッセージ自体は図示省略）２とを備えている。より具体的に説明すれば、本実施形態に係るフィギュア１は人形とされており、メッセージボード２の下端部がフィギュア１の膝部に裁置され、メッセージボード２の左右両端部がフィギュア１の両手部間に挟持されることにより、メッセージボード２がフィギュア１に着脱自在に取り付けられている。
【００４２】
また、本実施形態に係る広告具１００は、フィギュア１の背面部にアルミ板を折り曲げることによって形成された係止部材３を備えており、当該係止部材３を店舗に配設された商品棚等に係止することによって容易に取り付け可能とされている。
【００４３】
以上の構成を有する広告具１００によれば、広告具１００の主要部として立体的形状を有するフィギュア１を用いることにより、顧客の注意を引く効果（アテンション効果）や顧客に商品選択を楽しませる効果（エンターテイメント効果）を高めることができる。また、フィギュア１を用いることで、その表情や仕草により、例えば「やさしさ」や「心地好さ」といったその商品のコンセプトを表現可能であったり、商品のターゲットを明確化することも可能になり、これにより商品の特性を端的に伝達することができる。さらには、フィギュア１の店頭での露出により、他メディアとの相乗効果を期待することも可能である。このように、本実施形態に係る広告具１００は、立体的形状を有するフィギュア１を備えることにより、極めて効果的に商品の販売を促進することが可能である。なお、本実施形態では、フィギュア１として人形を用いた場合を例に挙げて説明したが、本発明はこれに限るものではなく、物の具体的な形をあしらった立体的形状物である限りにおいて、キャラクターを模擬した物の他、動物、昆虫、植物等、種々の構成を採用することが可能である。
【００４４】
また、本実施形態に係る広告具１００は、フィギュア１に着脱自在に取り付けられ、商品広告に関するメッセージが表示されたメッセージボード２を備える構成であるため、当該メッセージボード２を各店舗毎や季節毎に取り替えることにより、広告具１００全体を作り替えることなく商品広告に関する種々の価値あるメッセージを容易に変更できるという利点を有する。
【００４５】
＜第２実施形態＞
本発明の第２実施形態に係る広告具も、図１を参照して説明した第１実施形態に係る広告具１００と略同様の外観形状を有するため、外観形状の図示は省略することとし、主として電気的な構成について説明する。
【００４６】
図２は、本発明の第２実施形態に係る広告具の電気的な構成概略を示すブロック図である。図２に示すように、本実施形態に係る広告具１００Ａも、第１実施形態と同様にフィギュア１とメッセージボード２とを備えている。しかしながら、本実施形態に係る広告具１００Ａは、メッセージボード２に、人体検知用センサ２１と音声出力手段２２とを備えている点で、第１実施形態と異なる。人体検知用センサ２１と音声出力手段２２とは、電気的に接続されており、人体検知用センサ２１によって人体が検知されることにより、人体検知信号が音声出力手段２２に送信され、これをトリガーとしてメッセージボード２に表示されたメッセージに関連する音声（表示されたメッセージと同じ内容の音声でも良い）を音声出力手段２２が出力するように構成されている。
【００４７】
なお、人体検知用センサ２１としては、例えば、人体から放出される赤外線を検出する焦電型の赤外線検出センサの他、メッセージボード２を押圧する指の圧力を検知するタッチセンサ等、公知のセンサを適宜利用することが可能である。また、音声出力手段２２としては、例えば、予め録音したメッセージを再生可能な所謂ボイスメッセージカード等に用いられているメモリやスピーカ等の公知の電子部品を適宜利用することができ、人体検知用センサによる人体検知信号をトリガーとして、予め録音された音声（メッセージボード２に表示されたメッセージに関連する音声）を出力するように構成すれば良い。
【００４８】
本実施形態に係る広告具１００Ａによれば、単にメッセージボード２に商品広告に関するメッセージを表示するのみならず、人体が検知される（すなわち、顧客がメッセージボード２に近づいた或いは触れたことが検知される）ことにより、メッセージボード２に表示されたメッセージに関連する音声が出力されるため、顧客はあたかもフィギュア１自体がメッセージを発しているように感じることができ、アテンション効果やエンターテイメント効果をより一層高めることができるという利点を有する。
【００４９】
＜第３実施形態＞
本発明の第３実施形態に係る広告具も、図１を参照して説明した第１実施形態に係る広告具１００と略同様の外観形状を有するため、外観形状の図示は省略することとし、主として電気的な構成について説明する。
【００５０】
図３は、本発明の第３実施形態に係る広告具の電気的な構成概略を示すブロック図である。図３に示すように、本実施形態に係る広告具１００Ｂも、第１実施形態と同様にフィギュア１とメッセージボード２とを備えている。しかしながら、本実施形態に係る広告具１００Ｂは、メッセージボード２が、メッセージ識別情報を記憶する記憶手段２３を具備し、フィギュア１が、人体検知用センサ１１と、メッセージボード２が具備する記憶手段２３に記憶されたメッセージ識別情報を読み取る読取手段１２と、メッセージ識別情報に応じた複数種の音声を予め記憶すると共に、各音声を出力可能な音声出力手段１３とを具備する点で、第１実施形態と異なる。人体検知用センサ１１と音声出力手段１３とは電気的に接続されている。また、読取手段１２と音声出力手段１３も電気的に接続されている。斯かる構成において、人体検知用センサ１１によって人体が検知されることにより、人体検知信号が音声出力手段１３に送信される一方、読取手段１２によって読み取ったメッセージ識別情報も音声出力手段１３に送信される。音声出力手段１３は、送信された人体検知信号をトリガーとして、記憶された複数種の音声の内、送信されたメッセージ識別情報に対応する音声を選択し、これを出力するように構成されている。
【００５１】
本実施形態に係る人体検知用センサ１１及び音声出力手段１３としては、前述した第２実施形態と同様の構成を採用することが可能である。また、記憶手段２３としては、例えば、各メッセージボード毎に異なるコード（メッセージ識別情報）を付与したバーコードや２次元コードの他、各メッセージボード２毎に異なる識別子（メッセージ識別情報）を記憶させたＩＣタグ等の公知の手段を適宜利用することが可能である。さらに、読取手段１２としては、記憶手段２３の種別に応じて、例えば、バーコードリーダ、２次元コードリーダ、ＩＣタグリーダ等の公知の手段を適宜利用することができ、メッセージボード２をフィギュア１に取り付けた状態において、記憶手段２３に記憶されたメッセージ識別情報を読み取ることができる適宜の位置に配設すれば良い。より具体的に説明すれば、例えば、フィギュア１の手部（図１参照）に読取手段１２を配設すると共に、当該手部で挟持されるメッセージボード２の部位に記憶手段２３を配設する構成が考えられる。
【００５２】
本実施形態に係る広告具１００Ｂによっても、第２実施形態と同様に、単にメッセージボード２に商品広告に関するメッセージを表示するのみならず、人体が検知される（すなわち、顧客がフィギュア１に近づいた或いは触れたことが検知される）ことにより、取り付けたメッセージボード２のメッセージ識別情報に対応する（メッセージボード２に表示されたメッセージに関連する）音声が出力されるため、顧客はあたかもフィギュア１自体が能動的にメッセージを発しているように感じることができ、アテンション効果やエンターテイメント効果をより一層高めることができるという利点を有する。
【００５３】
また、フィギュア１自体が音声を出力する（フィギュア１が具備する音声出力手段１３によって音声が出力される）構成であるため、異なるメッセージボードを同一のフィギュア１に取り付けることにより、当該フィギュア１に応じた一定の音色で種々のメッセージを伝達することが可能である。より具体的に説明すれば、例えば、キャラクターＡを模擬したフィギュア１に「サンプルをお試し下さい」というメッセージが表示されたメッセージボード２を取り付けた場合には、キャラクターＡの音色で「サンプルをお試し下さい」という音声を出力する一方、「ご相談は店員まで」というメッセージが表示されたメッセージボード２を取り付けた場合には、キャラクターＡの音色で「ご相談は店員まで」という音声を出力するように構成することが可能である。また、同一のメッセージボード２を異なるフィギュア１に取り付けることにより、発声するメッセージの内容自体は同一であっても、取り付けた各フィギュア１に応じて音声の音色を変更する構成を採用することも可能である。より具体的に説明すれば、例えば、「サンプルをお試し下さい」というメッセージが表示されたメッセージボード２をキャラクターＡを模擬したフィギュア１に取り付けた場合には、キャラクターＡの音色で  「サンプルをお試し下さい」という音声を出力する一方、同一のメッセージボード２を別のキャラクターＢを模擬したフィギュア１に取り付けた場合には、キャラクターＢの音色で「サンプルをお試し下さい」という音声を出力するように構成することが可能である。このように本実施形態に係る広告具１００Ｂによれば、アテンション効果やエンターテイメント効果を極めて高めることが可能である。
【００５４】
なお、本実施形態では、人体検知用センサ１１をフィギュア１に設ける構成について説明したが、本発明はこれに限るものではなく、メッセージボード２に人体検知用センサを設ける構成を採用することも可能である。ただし、斯かる構成を採用する場合には、メッセージボード２に設けられた人体検知用センサと、フィギュア１に設けられた音声出力手段１３とを電気的に接続する必要があるため、メッセージボード２をフィギュア１に取り付けた状態において双方が電気的に接続されるように、コネクタ等を設ける必要がある。
【００５５】
＜第４実施形態＞
本発明の第４実施形態に係る広告具も、図１を参照して説明した第１実施形態に係る広告具１００と略同様の外観形状を有するため、外観形状の図示は省略することとし、主として電気的な構成について説明する。
【００５６】
図４は、本発明の第４実施形態に係る広告具の電気的な構成概略を示すブロック図である。図４に示すように、本実施形態に係る広告具１００Ｃも、第３実施形態と同様にフィギュア１とメッセージボード２とを備えている他、人体検知用センサ１１、読取手段１２及び記憶手段２３を備えている。しかしながら、本実施形態に係る広告具１００Ｃは、第３実施形態における音声出力手段１３の代わりに、メッセージ識別情報に応じた複数種の動作を実行するための駆動手段１４を備え、人体検知用センサ１１によって人体が検知されることにより、駆動手段１４が読取手段１２で読み取ったメッセージ識別情報に対応する動作を実行するように構成されている点で、第３実施形態と異なる。
【００５７】
本実施形態に係る人体検知用センサ１１、読取手段１２及び記憶手段２３としては、前述した第３実施形態と同様の構成を採用することが可能である。また、駆動手段１４としては、駆動源としてのモータの他、カムや歯車といった動力伝達機構など公知の各種機械部品を適宜組み合わせ、フィギュア１を構成する各部材をメッセージ識別情報に応じて予め決められた位置に動かすように構成することが可能である。
【００５８】
本実施形態に係る広告具１００Ｃによっても、単にメッセージボード２に商品広告に関するメッセージを表示するのみならず、人体が検知される（すなわち、顧客がフィギュア１に近づいた或いは触れたことが検知される）ことにより、取り付けたメッセージボード２のメッセージ識別情報に対応する（メッセージボード２に表示されたメッセージに関連する）動作が実行されるため、顧客はあたかもフィギュア１自体がメッセージを発しているように感じ、またその動作によってメッセージに説得力とリアル感を持たせることができ、アテンション効果やエンターテイメント効果をより一層高めることができるという利点を有する。より具体的に説明すれば、例えば、「風邪には○○感冒薬」というメッセージが表示されたメッセーボード２を取り付けた場合には、所定のキャラクターを模擬したフィギュア１が額に手を当てる動作を実行する一方、「下痢、腹痛には△△整腸薬」というメッセージが表示されたメッセージボード２を取り付けた場合には、前記フィギュアが手で腹部を押さえる動作を実行するように構成することが考えられる。
【００５９】
なお、本実施形態では、人体検知用センサ１１をフィギュア１に設ける構成について説明したが、本発明はこれに限るものではなく、第３実施形態について前述したのと同様に、メッセージボード２に人体検知用センサを設ける構成を採用することも可能である。
【００６０】
＜第５実施形態＞
本発明の第５実施形態に係る広告具も、図１を参照して説明した第１実施形態に係る広告具１００と略同様の外観形状を有するため、外観形状の図示は省略することとし、主として電気的な構成について説明する。
【００６１】
図５は、本発明の第５実施形態に係る広告具の電気的な構成概略を示すブロック図である。図５に示すように、本実施形態に係る広告具１００Ｄも第１実施形態と同様にフィギュア１とメッセージボード２とを備えている。しかしながら、本実施形態に係る広告具１００Ｄは、フィギュア１に人体検知用センサ１１を備え、メッセージボード２が電源２４を具備する液晶ディスプレイで構成されている点で、第１実施形態と異なる。人体検知用センサ１１としては、前述した第３実施形態と同様の構成を採用することが可能である。人体検知用センサ１１と電源２４とは、電気的に接続されており、人体検知用センサ２１によって人体が検知されることにより生じる人体検知信号が、電源２４に付設されたスイッチ回路（図示せず）に送信されて、これをオンにし（つまり、電源２４の電圧が液晶ディスプレイに供給され）、所定のメッセージが表示されるように構成されている。
【００６２】
本実施形態に係る広告具１００Ｄによれば、常にメッセージボード２に商品広告に関するメッセージを表示する（例えば、手書き文字や印刷文字をメッセーボード２に記載する等）場合と異なり、人体が検知される（すなわち、顧客がフィギュア１に近づいた或いは触れたことが検知される）ことによって初めてメッセージが表示されるため、アテンション効果やエンターテイメント効果をより一層高めることができるという利点を有する。
【００６３】
＜第６実施形態＞
本発明の第６実施形態に係る広告具は、互いに電気的に接続された２つのフィギュアを備えるが、各フィギュアは、図１を参照して説明した第１実施形態に係るフィギュアと略同様の外観形状を有するため、外観形状の図示は省略することとし、主として電気的な構成について説明する。
【００６４】
図６は、本発明の第６実施形態に係る広告具の電気的な構成概略を示すブロック図である。図６に示すように、本実施形態に係る広告具１００Ｅは、それぞれ立体的形状を有し、互いにＵＳＢケーブル等で電気的に接続された２つのフィギュア１Ａ及び１Ｂと、フィギュア１Ａ及び１Ｂのそれぞれに着脱自在に取り付けられ、商品広告に関するメッセージが表示されたメッセージボード２Ａ及び２Ｂと、フィギュア１Ａ及び１Ｂの内の一方のフィギュア（図６に示す例ではフィギュア１Ａ）に設けられた人体検知用センサ１１とを備えている。メッセージボード２Ａ及び２Ｂは、メッセージ識別情報を記憶する記憶手段２３を具備し、２つのフィギュア１Ａ及び１Ｂのそれぞれは、当該各フィギュア１Ａ、１Ｂに取り付けられたメッセーボード２Ａ、２Ｂが具備する記憶手段２３に記憶されたメッセージ識別情報を読み取る読取手段１２と、メッセージ識別情報に応じた複数種の音声を出力可能な音声出力手段１３とを具備している。前記一方のフィギュア１Ａは、人体検知用センサ１１によって人体が検知されることにより、読取手段１２で読み取ったメッセージ識別情報に対応する音声を音声出力手段１３によって出力すると共に、音声出力終了信号を他方のフィギュア１Ｂ（フィギュア１Ｂが具備する音声出力手段１３）に送信し、他方のフィギュア１Ｂは、前記音声出力終了信号を受信することにより、読取手段１２で読み取ったメッセージ識別情報に対応する音声を音声出力手段１３によって出力するように構成されている。なお、人体検知用センサ１１、読取手段１２、音声出力手段１３及び記憶手段２３としては、前述した各実施形態と同様の構成を採用することが可能である。
【００６５】
本実施形態に係る広告具１００Ｅによれば、立体的形状を有するフィギュア１Ａ、１Ｂを備えることにより、極めて効果的に商品の販売を促進することが可能である。また、フィギュア１Ａ、１Ｂに着脱自在に取り付けられ、商品広告に関するメッセージが表示されたメッセージボード２Ａ、２Ｂを備える構成であるため、当該メッセージボード２Ａ、２Ｂを各店舗毎や季節毎に取り替えることにより、広告具１００Ｅ全体を作り替えることなく商品広告に関する種々の価値あるメッセージを容易に変更できるという利点を有する。さらには、単にメッセージボードに商品広告に関するメッセージを表示するのみならず、人体が検知される（すなわち、顧客がフィギュア１に近づいた或いは触れたことが検知される）ことにより、メッセージボード２Ａ、２Ｂに表示されたメッセージに関連する音声が出力されるため、顧客はあたかもフィギュア１Ａ、１Ｂ自体が能動的にメッセージを発しているように感じることができる。特に、本実施形態に係る広告具１００Ｅは、一方のフィギュア１Ａでの音声出力が終了した後、他方のフィギュア１Ｂにおいて音声が出力される構成であるため、各フィギュア１Ａ、１Ｂが出力する音声に関連性を持たせる（例えば、フィギュア１Ａが「おなか大丈夫？」と発声するのに対して、フィギュア１Ｂが「おなか弱いの。○○飲もうかしらね。」と発声する）ことにより、両フィギュア１Ａ、１Ｂがあたかも会話をしているかのように構成することが可能であり、これによりアテンション効果やエンターテイメント効果を極めて高めることができるという利点を有する。
【００６６】
なお、本実施形態では、両フィギュア１Ａ及び１Ｂが電気的に接続されている構成について説明したが、前述した第３実施形態と同様の構成を有するフィギュア１を距離を隔てて２つ配設（各フィギュア１は互いに電気的に接続されない）し、各フィギュア１がそれぞれ具備する人体検知用センサ１１によって人体を検知したタイミングで、両フィギュア１が互いに関連性を有する音声を出力するように構成しても、同様の効果を奏することが可能である。
【００６７】
＜第７実施形態＞
本発明の第７実施形態に係る広告システムは、互いに電気的に接続された２つのフィギュアを備えるが、各フィギュアは、図１を参照して説明した第１実施形態に係るフィギュアと略同様の外観形状を有するため、外観形状の図示は省略することとし、主として電気的な構成について説明する。
【００６８】
図７は、本発明の第７実施形態に係る広告システムの電気的な構成概略を示すブロック図である。図７に示すように、本実施形態に係る広告システム１００Ｆは、立体的形状を有し、メッセージ識別情報を読み取る読取手段１２を具備するフィギュア１と、フィギュア１に着脱自在に取り付けられ、商品広告に関するメッセージを表示すると共に、メッセージ識別情報を記憶する記憶手段２３を具備するメッセージボード２と、フィギュア１に設けられ、顧客が携帯するモバイル端末（携帯電話）Ｍに設けられたＩＣタグ（携帯電話のストラップに取り付けられたＩＣタグ）４から送信される顧客識別情報を読み取るためのＩＣタグリーダ１５と、メッセージ識別情報に関連付けられたメッセージ情報と、顧客識別情報に関連付けられた電子メールアドレスとが予め記憶された電子メール配信用サーバ５とを備えている。電子メール配信用サーバ５は、読取手段１２で読み取った記憶手段２３に記憶されたメッセージ識別情報と、ＩＣタグリーダ１５で読み取ったＩＣタグ４から送信された顧客識別情報とを受信（有線又は無線で受信）し、当該受信したメッセージ識別情報に対応するメッセージ情報を当該受信した顧客識別情報に対応する電子メールアドレス宛に送信するように構成されている。より具体的に説明すれば、電子メール配信用サーバ５は、メッセージ識別情報及び顧客識別情報をそれぞれ読取手段１２及びＩＣタグリーダ１５から受信するために各店舗内に配設された中継用サーバと、当該各店舗の中継用サーバとインターネットを介して接続され、各中継用サーバから送信されたメッセージ識別情報や顧客識別情報等の各種情報を一括管理すると共に電子メールを送信するための管理サーバとから構成されている。
【００６９】
本実施形態に係る広告システム１００Ｆによれば、立体的形状を有するフィギュア１を備えることにより、極めて効果的に商品の販売を促進することが可能である。また、フィギュア１に着脱自在に取り付けられ、商品広告に関するメッセージが表示されたメッセージボード２を備える構成であるため、当該メッセージボード２を各店舗毎や季節毎に取り替えることにより、広告具全体を作り替えることなく商品広告に関する種々の価値あるメッセージを容易に変更できるという利点を有する。さらには、単にメッセージボード２に商品広告に関するメッセージを表示するのみならず、顧客が携帯するモバイル端末Ｍに設けられたＩＣタグ４から送信された顧客識別情報を読み取り、当該顧客情報に関連付けて予め記憶された電子メールアドレス宛に、取り付けたメッセージボード２のメッセージ識別情報に対応する（メッセージボード２に表示されたメッセージに関連する）メッセージ情報を送信する構成であるため、顧客はモバイル端末Ｍを使って自分の電子メールアドレスに送信されたメッセージ情報を確認することが可能であり、これによりアテンション効果やエンターテイメント効果を極めて高めることができるという利点を有する。
【００７０】
なお、電子メール配信用サーバ５に顧客識別情報に関連付けた電子メールアドレスを予め記憶するには、例えば、各ＩＣタグ４毎に異なる顧客識別情報（ＩＤ番号等）を予め記憶したＩＣタグ４付き携帯ストラップを顧客に配布すると共に、顧客の携帯電話Ｍから電子メール配信用サーバ５が管理する指定した電子メールアドレスに空の電子メールを送信してもらう方法を採用すれば良い。これにより、ＩＣタグ４から送信された顧客識別情報（ＩＤ番号等）と、当該ＩＣタグ４が取り付けられた顧客の携帯電話で送受信可能な電子メールのアドレスとが関連付けられることになる。なお、前記空の電子メールアドレスを受信した際に、電子メール配信用サーバ５から顧客の携帯電話Ｍに向けて顧客の属性（性別・年齢等）を尋ねるアンケート形式の電子メールを送信し、これに顧客が回答した後、再度指定した電子メールアドレスに送信してもらうことにより、顧客識別情報に顧客の属性情報を関連付けることも可能である。これにより、顧客の属性情報に応じたメッセージ情報を送信するように構成することも可能になる。
【００７１】
また、本実施形態では、電子メール配信用サーバ５から顧客の電子メールアドレス宛にメッセージ情報を送信する構成についてのみ説明したが、これと同時に、フィギュア１に音声出力手段１３を設けてメッセージを発声させたり、駆動手段１４を設けてメッセージに関連する動作を実行させたりすることも無論可能である。
【００７２】
なお、以上に説明した各実施形態において、音声出力手段から出力される音声や、電子メール配信用サーバから送信されるメッセージ情報は、フィギュアやメッセージボードに計時手段を具備させることにより、暦や時間帯に応じて異なるものとすることが可能である。例えば、メッセージボードに表示されたメッセージが便秘薬のキャッチコピーである場合に、暦や時間帯に関わらず「ビフィズス菌が入っているからおなかに良いよね」等の基本的な音声を出力したりメッセージ情報を電子メールで送信するように構成し、午前中には、前記基本的な音声（又はメッセージ情報）に「朝ご飯しっかり食べましたか？」というような音声（又はメッセージ情報）を付加する一方で、午後には「晩ご飯はバランス良く栄養を摂らないとね」といった音声（又はメッセージ情報）を付加する構成が考えられる。また、例えば、暦が「野菜の日」である場合には、前記基本的な音声（又はメッセージ情報）に「今日は野菜の日だよ」というような音声（又はメッセージ情報）を付加するといった構成が考えられる。
【図面の簡単な説明】
【００７３】
【図１】図１は、本発明の第１実施形態に係る広告具の概略構成を示す図であり、（ａ）は正面図を、（ｂ）は側面図を示す。
【図２】図２は、本発明の第２実施形態に係る広告具の電気的な構成概略を示すブロック図である。
【図３】図３は、本発明の第３実施形態に係る広告具の電気的な構成概略を示すブロック図である。
【図４】図４は、本発明の第４実施形態に係る広告具の電気的な構成概略を示すブロック図である。
【図５】図５は、本発明の第５実施形態に係る広告具の電気的な構成概略を示すブロック図である。
【図６】図６は、本発明の第６実施形態に係る広告具の電気的な構成概略を示すブロック図である。
【図７】図７は、本発明の第７実施形態に係る広告システムの電気的な構成概略を示すブロック図である。
【符号の説明】
【００７４】
１・・・フィギュア
２・・・メッセージボード
１００・・・広告具
【図１】
2006119253.tif 000003
【図２】
2006119253.tif 000004
【図３】
2006119253.tif 000005
【図４】
2006119253.tif 000006
【図５】
2006119253.tif 000007
【図６】
2006119253.tif 000008
【図７】
2006119253.tif 000009